(57)【要約】      （修正有）【課題】膝掛けが腹部や下半身を保温し、ずり落ちずに、腰掛けていても正座していても膝回りにゆとりがあり、冷たい手や指先を保温し、小物等を収納する事の出来る膝掛けを提供する。【解決手段】腹部を二重にして保温し、上カバーにゆとりを持たせ、左右から斜めに両手を挿入するために、上カバーの上部幅より下部幅を広くして開口部を斜めに広くとり、中に携帯用カイロ等を入れるためのポケットを設けて保温性を高め、二重カバーの下縁と、下半身にゆとりを持たせた膝カバーの上縁をゆるいＶカーブにして縫合し、下カバーの上縁にベルト通しを設け紐ベルトを通し、体に固定し、ずり落ちないようにし、膝掛けや上カバー及び下カバーに多機能な収納部を設けることを特徴とする保温を有する膝掛け。【選択図】図１
0003115319.tif 000002
【実用新案登録請求の範囲】
【請求項１】
腹当て部を二重にカバーし、上カバーは下カバーより幅が狭く、左右から両手を挿入するための開口部を左右に設け、中に、携帯用カイロ等を入れるためのポケットを設け、上カバーの上下を少し長めにゆとりを持たせた上カバーの下縁と、下カバーの下縁を合わせ、下半身にギャザー等でゆとりを持たせた膝カバーの上縁とを合わせて、縫合した保温性を有する膝掛け。
【請求項２】
請求項１記載の下カバーの上縁にベルト通しを設け、ベルトを通して腹部の膨らみの合わせ、少し縮めて両脇で係止して延長し、二重カバーの下縁と膝カバーの上縁をゆるいＶカーブにして縫合し、膝掛けの一部に収納部を設けた保温性を有する膝掛け。
【考案の詳細な説明】
【技術分野】
【０００１】
本考案は、腹部や下半身の保温を目的とし、さらに手の冷えを守るために腹部を二重にカバーして、上カバーの左右から手を入れ、中に携帯用カイロ等を入れるためのポケットを設け、保温性を高める。他に膝掛けの一部に携帯電話、メモ、本、財布等を収納するための、多機能に利用できるポケットを設けた膝掛けに関するものである。
【背景技術】
【０００２】
従来、膝掛けは温かい布を膝に掛け、保温とした物が多く考案されていたが、腹部は寒く、動くとずれ落ちるし、車の運転中の人や、車椅子に乗る人や、仕事をしている人には、不便であった。その他にも下半身を巻き込み式にして、上部に係止部材を設けたもの等が出ているが、一長一短があり満足いくものでは無かった。又収納部が無いため小物を身に付けておく事が出来ないので、膝掛けの使用時には不便であった。
【０００３】
【特許文献１】特開２００２−３２７３２０
【特許文献２】特開２００３−１１６６９４
【考案の開示】
【考案が解決しようとする課題】
【０００４】
膝掛けがずり落ちずに、保温性が高く腰掛けていても座っていても膝回りにゆとりがあり、手の甲や手の平や指先が直ぐ温かくなり、膝掛けの一部に小物を収納する事の出来る膝掛けを課題とした。
【課題を解決するための手段】
【０００５】
本考案は、この様な従来の構成が有していた問題を解決しようとするものであり、腹部を二重にして、上カバーの左右から手を挿入するために、上カバーの上幅より下幅を広く斜めに開口部を広とり、更に上下にゆとりを持たせ、中に携帯用カイロ等を入れるためのポケットを設けて保温性を高め、二重カバーの下縁に、下半身にゆとりを持たせた膝カバーの上縁を縫合する。
【０００６】
腹部の下カバーの上縁にベルト通しを設け、紐ベルト等を挿入し、腹部の膨らみの合わせて少し縮めて両脇で係止し、延長ベルトで体に固定させ、ずり落ちないようにする。
【０００７】
二重カバーの下縁と膝カバーの上縁を、体型に合わせてゆるいＶカーブにして縫合する。
【０００８】
膝掛けや上カバー及び下カバーの一部に収納するための多機能のポケットを設けるようにする。
【考案の効果】
【０００９】
腹部及び下半身の保温を目的とし、さらに手の甲や手の平や指先の冷えを守るために腹部を二重にして、手を挿入しやすくするために、上カバーの左右を斜めに下辺を広くして開口部を設け、更に上カバーの上下を長めにゆとりを持たせているため、挿入した手が窮屈でなく、中に携帯用カイロ等を入れるためのポケットも設けているので、手を入れると保温が出来、仕事中でも車椅子の人や座っている人も、手の平や手の甲や指を温める事が出来る。自動車の運転中でも上カバーの上から、触るだけでも指先を暖める事が出来る。
【００１０】
二重カバーの下縁と膝カバーの上縁をＶカーブにして膝カバーの下肢に当たる部分に、ギャザーやタック等でゆとりを持たせて縫合しているために、上カバーから手を挿入しても手の動きや、手の置き具合が自然であり、Ｖカーブの位置が腹部と下肢の付け根の位置にあり自然に収まる位置にくるために、腰掛けても座っても体に馴染みやす腹部く、ゆとりがあり保温性に勝れている。膝カバーの中では、足を崩して楽な姿勢をしても外からは見えないので楽である。
【００１１】
腹部を二重カバーにした下カバーの上縁にベルト通しを設け、紐ベルト等を挿入し、腹部の膨らみの合わせて少し縮めて両脇で係止し、延長ベルトで結ぶようにして体に固定させているので体の立体性に添い易く、ずり落ちる心配がない。
【００１２】
膝掛けや上カバー及び下カバーの一部に多機能を持つポケットの収納部を設けているので、例えば携帯電話やメモ用紙、本、財布等を収納できるため、利用しやすく不便さが解消された。
【考案を実施するための最良の形態】
【００１３】
腹部を二重にカバーし、下カバー３より上カバー１の幅を狭くしてその中に保温性を高めるための携帯用カイロ等を入れるポケット４を設け、上カバー１は、左右から両手を挿入するために、斜めに開口部２を設け、上カバー１を上下にゆとりを持たせて、上カバー１の下縁と下カバー３の下縁を合わせ、下半身にギャザー１０やタックでゆとりを持たせた膝カバー９の上縁とをゆるいＶカーブ８にして縫合し、下カバー３の上縁にベルト通し５を設け、紐ベルト等を挿入して、腹部の膨らみの合わせて少し縮めて両脇で係止６して、延長ベルト７で、結ぶようにして体に固定させているので、体の立体性に添い易く、ずり落ちる心配がない保温性を有する膝掛けである。
【実施例】
【００１４】
以下、実施例にもとづき添付図面を参照して説明する。図１は、本発明の正面図である。
図２は、膝カバーの使用状態を示す斜視図である。腹部を二重にして、上カバー１は、下カバー３幅より少し狭くし、手を挿入するために上部より下部を広くして、左右から斜めに開口部２を広くとっているので、手を斜めに入れやすく、更に上カバー１を長めにゆとりを持たせているのでカバーの中にゆとりがあり、手の動きが楽である。又下カバー３に携帯用カイロ等を入れるポケット４を設けているので、より保温性が高く、仕事中でも車椅子の人でも、手の甲や手の平や指先を温める事が出来る。
【００１５】
下カバー３と上カバー１の二重カバーの下縁に、体型に合わせて膝カバー９の上縁の下肢に当たる部分にギャザー１０やタック等でゆとりを持たせて、ゆるいＶカーブ８にして縫合しているので、腰掛けた時や座った時に、Ｖカーブ８が腹部と下肢の付け根の付近にあり、体に添いより易く、膝カバー９のギャザー１０が下半身にゆとりを与えているので、下肢が楽である。
【００１６】
腹部の下カバー３の上縁に、ベルト通し部５を設け、紐ベルト７を挿入し、腹部の膨らみの合わせて少し縮めて両脇で係止６しているので、立体的な体に添いより易く、左右両脇から延長した紐ベルト７等を後ろで結んで体に固定できる。
【００１７】
図３は、上カバー上縁裏面と下カバー上縁裏面に係止部材を設け、上カバーを外した正面図である。下カバーの上縁にベルト通し部５を設け、二重にした紐ベルトを通して、腹部の膨らみの合わせて少し縮めて両脇で係止６し、片脇に輪１３を作り、他方の紐ベルト７の一本と結ぶ様にしても良い。
【００１８】
又ベルトに係止部材を装着して各自のウエスト回りに合わせて係止してもよく、着脱が簡単で膝掛けがずり落ちないようにすればよい。
【００１９】
図４は、図３の膝掛けの裏面図である。
【００２０】
膝掛け９の一部に多機能を持つ収納部を設けているので、例えば携帯電話は収納部１１に、メモ用紙、財布等は収納部１２に収納し、体の近くに収納するようにしているため、利用しやすい。
【００２１】
用布は、保温性が高く、軽くて丈夫な物が良く、無地でもプリントでもよい。
トリミングの配色に変化をつけると年代向きに出来る。又上カバーの一部にアクセントの図案やマークを入れると、楽しい膝掛けとなる。
【００２２】
オフイスの冷房から、下半身を守るために夏でも使用出来る。
【００２３】
図５は、上カバー１の上縁裏面の係止部材Ａ１４を外し、膝掛けを折りたたみ、上カバーをひっくり返して下カバーの上縁裏面の係止部材Ｂ１５と合着して収納するようにしたものである。
【図面の簡単な説明】
【００２４】
【図１】膝カバーの正面図
【図２】膝カバーの使用状態を示す斜視図
【図３】上カバーと下カバーに係止部材を設け上カバーを外した正面図
【図４】２重ベルトにして片脇に輪を設けた膝掛けの裏面図
【図５】膝掛けを畳んで上カバーをひっくり返して係止部材で留め、収納した斜視図
【符号の説明】
【００２５】
１      上カバー
２      開口部
３      下カバー
４      ポケット
５      ベルト通し部
６      係止
７      紐ベルト
８      Ｖカーブ
９      膝カバー
１０    ギャザー
１１    携帯電話収納部
１２    収納部
１３    輪
Ａ１４  係止部材
Ｂ１５  係止部材
【図１】
0003115319.tif 000003
【図２】
0003115319.tif 000004
【図３】
0003115319.tif 000005
【図４】
0003115319.tif 000006
【図５】
0003115319.tif 000007